(57)【要約】【課題】多様な楽しみ方を提案することのできる歌唱力評価装置を提供する。【解決手段】着脱可能なメモリカートリッジ２に記憶された曲データに基づく曲を再生させ、再生された曲に対して入力される歌を評価するシステム制御部１２と、本体メモリ１５と、システム制御部１２による歌唱力の評価結果の情報である評価情報を本体メモリ１５に記憶する記憶制御部１６と、を備える。【選択図】図６
2017122931.tif 000002
【特許請求の範囲】
【請求項１】
着脱可能なカートリッジ型記憶装置に記憶された曲データに基づく曲を再生させる再生制御部と、
前記再生制御部によって再生された曲に対して入力される歌声を評価する歌唱力評価部と、
前記カートリッジ型記憶装置とは異なり、前記歌唱力評価部による評価結果の情報である評価情報を記憶する本体記憶部と、
前記カートリッジ型記憶装置と前記本体記憶部の記憶を制御する記憶制御部と、を備え、
前記記憶制御部は、前記再生制御部によって再生された曲に対して入力された歌声に対する前記評価情報を総合ランキング情報として前記本体記憶部に記憶すると共に、前記曲データに対応して生成された前記評価情報をカートリッジランキング情報として当該曲データに対応付けて前記カートリッジ型記憶装置に記憶する歌唱力評価装置。
【請求項２】
請求項１記載の歌唱力評価装置であって、
前記記憶制御部は、前記再生制御部によって再生された曲に対して歌声を入力する歌唱者の情報である歌唱者情報を前記本体記憶部に記憶する歌唱力評価装置。
【請求項３】
請求項２記載の歌唱力評価装置であって、
前記記憶制御部は、前記再生制御部によって再生された曲に対して入力された歌声に対する前記評価情報を当該歌声の前記歌唱者情報と対応付けて前記本体記憶部に記憶する歌唱力評価装置。
【請求項４】
請求項３記載の歌唱力評価装置であって、
前記曲データは、曲のタイトル又は曲の歌手を含む曲の付随情報を含み、
前記記憶制御部は、前記再生制御部によって再生された曲に対応する前記曲データに含まれる前記付随情報を、当該曲に対して入力された歌声の歌唱者の情報である歌唱者情報と、当該歌声に対する前記評価情報とに対応付けて前記本体記憶部に記憶する歌唱力評価装置。
【請求項５】
請求項４記載の歌唱力評価装置であって、
前記付随情報は画像データとして前記カートリッジ型記憶装置に記憶される歌唱力評価装置。
【請求項６】
請求項２〜５のいずれか１項記載の歌唱力評価装置であって、
前記評価情報は、歌唱力を点数化した採点情報であり、
前記記憶制御部は、前記歌唱者情報に対し、前記歌唱力評価部によって最高の点数がつけられた前記評価情報を対応付けて前記本体記憶部に記憶する歌唱力評価装置。
【請求項７】
請求項１〜５のいずれか１項記載の歌唱力評価装置であって、
前記評価情報は、歌唱力を点数化した採点情報を含む歌唱力評価装置。
【請求項８】
請求項７項記載の歌唱力評価装置であって、
前記評価情報は、前記採点情報に基づいて歌唱力を順位づけした順位情報を更に含む歌唱力評価装置。
【請求項９】
請求項８項記載の歌唱力評価装置であって、
前記順位情報は、前記本体記憶部に記憶されている採点情報のうちの予め決められた上位ｎ個の採点情報における何番目であるかを示す情報である歌唱力評価装置。
【請求項１０】
請求項９項記載の歌唱力評価装置であって、
前記記憶制御部は、前記採点情報が前記上位ｎ個の採点情報のうちの最低値よりも高い場合に、当該採点情報と、当該採点情報に基づく順位情報とを前記本体記憶部に記憶する歌唱力評価装置。
【請求項１１】
請求項１０記載の歌唱力評価装置であって、
前記記憶制御部は、前記再生制御部によって再生された曲に対して歌声を入力する歌唱者の情報である歌唱者情報を前記本体記憶部に記憶し、更に、前記評価情報と前記歌唱者情報を前記曲データに対応付けて前記カートリッジ型記憶装置に記憶する歌唱力評価装置。
【請求項１２】
請求項１１記載の歌唱力評価装置であって、
前記記憶制御部は、前記カートリッジ型記憶装置に記憶されている前記曲データに対応する前記評価情報と前記歌唱者情報の組のデータの前記評価情報に基づいて当該データを順位づけした結果を前記曲データに対応付けて前記カートリッジ型記憶装置に記憶する歌唱力評価装置。
【請求項１３】
請求項１〜１２のいずれか１項記載の歌唱力評価装置であって、
前記カートリッジ型記憶装置の電気端子群と接続される接続端子群と、
前記接続端子群を保護するための可動の保護カバーと、を備え、
前記保護カバーは、前記カートリッジ型記憶装置の電気端子群が前記接続端子群に接続された状態で前記カートリッジ型記憶装置の一部と嵌合する嵌合部を有する歌唱力評価装置。
【請求項１４】
請求項１〜１３のいずれか１項記載の歌唱力評価装置における前記カートリッジ型記憶装置。
【請求項１５】
請求項１３記載の歌唱力評価装置における前記カートリッジ型記憶装置であって、
前記電気端子群が前記接続端子群に接続された状態で前記保護カバーの前記嵌合部と嵌合する被嵌合部を備えるカートリッジ型記憶装置。
【発明の詳細な説明】
【技術分野】
【０００１】
本発明は、歌唱力を評価する歌唱力評価装置と、この歌唱力評価装置による歌唱力の評価対象となる曲データを記憶する記憶装置に関する。
【背景技術】
【０００２】
マイク一体型のカラオケ装置に曲データが格納されたカートリッジを差し込むことで、多様な曲データを用いたカラオケを楽しむことのできる装置がある（例えば特許文献１参照）。
【先行技術文献】
【特許文献】
【０００３】
【特許文献１】実用新案登録第３０７５８０９号公報
【発明の概要】
【発明が解決しようとする課題】
【０００４】
このような装置において、歌唱者の歌唱力を採点する機能を持たせる場合、採点結果をどのように扱うかが重要となる。
【０００５】
例えば、カートリッジに採点結果を記憶しておくことが考えられる。しかし、カートリッジにのみ採点結果が記憶されてしまうと、装置に新しいカートリッジを差し込んだときには、過去の採点結果を確認できなくなるため、ユーザのモチベーションを低下させる要因となる。
【０００６】
また、カートリッジを用いることなく、内蔵メモリの曲データでカラオケを楽しむことのできる装置もある。しかし、このような装置では、曲データを友人同士で貸し借りして楽しむといった遊び方をしようとすると、装置そのものを交換したり貸したりする必要があり、現実的ではない。カートリッジを用いた方式によれば、曲データを友人同士で貸し借りして楽しむといった遊び方が可能である。
【０００７】
本発明は上記事情に鑑みてなされたものであり、多様な楽しみ方を提案することのできる歌唱力評価装置とこの装置に用いられる曲データ記憶装置を提供することを目的とする。
【課題を解決するための手段】
【０００８】
本発明に係る歌唱力評価装置は、着脱可能な記憶装置に記憶された曲データに基づく曲を再生させる再生制御部と、前記再生制御部によって再生された曲に対して入力される歌声を評価する歌唱力評価部と、前記記憶装置とは異なり、前記歌唱力評価部による評価結果の情報である評価情報を記憶する記憶部と、前記記憶部の記憶を制御する記憶制御部と、を備えることを特徴としている。
【０００９】
また、本発明に係る歌唱力評価装置においては、前記記憶制御部は、前記再生制御部によって再生された曲に対して歌声を入力する歌唱者の情報である歌唱者情報を前記記憶部に記憶するものとしてもよい。
【００１０】
また、本発明に係る歌唱力評価装置においては、前記記憶制御部は、前記再生制御部によって再生された曲に対して入力された歌声に対する前記評価情報を当該歌声の前記歌唱者情報と対応付けて前記記憶部に記憶するものとしてもよい。
【００１１】
また、本発明に係る歌唱力評価装置においては、前記曲データは、曲のタイトル又は曲の歌手を含む曲の付随情報を含み、前記記憶制御部は、前記再生制御部によって再生された曲に対応する前記曲データに含まれる前記付随情報を、当該曲に対して入力された歌声の歌唱者の情報である歌唱者情報と、当該歌声に対する前記評価情報とに対応付けて前記記憶部に記憶するものとしてもよい。
【００１２】
また、本発明に係る歌唱力評価装置においては、前記付随情報は画像データとして前記記憶装置に記憶されるものとしてもよい。
【００１３】
また、本発明に係る歌唱力評価装置においては、前記評価情報は、歌唱力を点数化した採点情報であり、前記記憶制御部は、前記歌唱者情報に対し、前記歌唱力評価部によって最高の点数がつけられた前記評価情報を対応付けて前記記憶部に記憶するものとしてもよい。
【００１４】
また、本発明に係る歌唱力評価装置においては、前記評価情報は、歌唱力を点数化した採点情報を含むものとしてもよい。
【００１５】
また、本発明に係る歌唱力評価装置においては、前記評価情報は、前記採点情報に基づいて歌唱力を順位づけした順位情報を更に含むものとしてもよい。
【００１６】
また、本発明に係る歌唱力評価装置においては、前記順位情報は、前記記憶部に記憶されている採点情報のうちの予め決められた上位ｎ個の採点情報における何番目であるかを示す情報であるものとしてもよい。
【００１７】
また、本発明に係る歌唱力評価装置においては、前記記憶制御部は、前記採点情報が前記上位ｎ個の採点情報のうちの最低値よりも高い場合に、当該採点情報と、当該採点情報に基づく順位情報とを前記記憶部に記憶するものとしてもよい。
【００１８】
また、本発明に係る歌唱力評価装置においては、前記記憶制御部は、前記曲データに対応して生成された前記評価情報を、当該曲データに対応付けて前記記憶装置に記憶するものとしてもよい。
【００１９】
また、本発明に係る歌唱力評価装置においては、前記記憶制御部は、前記再生制御部によって再生された曲に対して歌声を入力する歌唱者の情報である歌唱者情報を前記記憶部に記憶し、更に、前記評価情報と前記歌唱者情報を前記曲データに対応付けて前記記憶装置に記憶するものとしてもよい。
【００２０】
また、本発明に係る歌唱力評価装置においては、前記記憶制御部は、前記記憶装置に記憶されている前記曲データに対応する前記評価情報と前記歌唱者情報の組のデータの前記評価情報に基づいて当該データを順位づけした結果を前記曲データに対応付けて前記記憶装置に記憶するものとしてもよい。
【００２１】
また、本発明に係る歌唱力評価装置においては、前記記憶装置の電気端子群と接続される接続端子群と、前記接続端子群を保護するための可動の保護カバーと、を備え、前記保護カバーは、前記記憶装置の電気端子群が前記接続端子群に接続された状態で前記記憶装置の一部と嵌合する嵌合部を有するものとしてもよい。
【００２２】
本発明に係る記憶装置は、前記歌唱力評価装置における前記記憶装置であることを特徴とする。
【００２３】
本発明に係る記憶装置は、前記歌唱力評価装置における前記記憶装置であって、前記電気端子群が前記接続端子群に接続された状態で前記保護カバーの前記嵌合部と嵌合する被嵌合部を備えることを特徴とする。
【発明の効果】
【００２４】
本発明によれば、多様な楽しみ方を提案することのできる歌唱力評価装置とこの装置に用いられる曲データ記憶装置を提供することができる。
【図面の簡単な説明】
【００２５】
【図１】本発明の歌唱力評価装置の一実施形態であるカラオケ装置１の外観構成を示す図である。
【図２】図１のカラオケ装置１の外観構成を示す背面図である。
【図３】図１のカラオケ装置１に着脱可能なメモリカートリッジ２の外観構成を示す平面模式図である。
【図４】図２のＡ−Ａ線断面模式図である。
【図５】図１のカラオケ装置１にメモリカートリッジ２を装着した状態を示す図である。
【図６】図１のカラオケ装置１の内部ブロック構成を示す図である。
【図７】図６の本体メモリ１５の内部構成を示す図である。
【図８】図６のメモリカートリッジ２の内部構成を示す図である。
【図９】図１のカラオケ装置１の動作を説明するためのフローチャートである。
【発明を実施するための形態】
【００２６】
図１は、本発明の歌唱力評価装置の一実施形態であるカラオケ装置１の外観構成を示す正面図である。図２は、図１のカラオケ装置１の外観構成を示す背面図である。図３は、図１のカラオケ装置１に着脱可能なメモリカートリッジ２の外観構成を示す平面模式図である。
【００２７】
図１に示すカラオケ装置１の筐体はマイク型の形状となっており、筐体先端部にはマイクロフォン１１を内蔵した音声入力部が設けられる。また、筐体の前面には各種ボタン等からなる操作部１４が設けられている。図２に示すように筐体の背面には開口Ｋが形成されており、この開口Ｋを介して、カートリッジタイプの記憶装置であるメモリカートリッジ２がカラオケ装置１に着脱可能となっている。
【００２８】
開口Ｋの内部には、メモリカートリッジ２の電気端子群２１と接続される接続端子群４１が設けられている。カラオケ装置１は、接続端子群４１を保護する（埃や水分等の外部からの異物の付着を防ぐ）ための可動の保護カバー４２を備える。開口Ｋには、保護カバー４２を挟むように、開口Ｋ内におけるメモリカートリッジ２の位置決めを行うための図２の紙面奥方向に伸びる矩形の突起４３，４４が形成されている。
【００２９】
図３に示すように、メモリカートリッジ２の筐体は凸型となっており、先端に電気端子群２１を内蔵している。この筐体には、カラオケ装置１の突起４３，４４の各々に嵌め合わせて位置決めを行うための位置決め用の一対の溝２３が設けられている。また、筐体には、一対の溝２３の間の領域に、一対の溝２３に対して垂直方向に伸びる溝２４が設けられている。
【００３０】
図４は、図２のＡ−Ａ線断面模式図である。図４に示すように、保護カバー４２は、断面が略台形であり、この断面を図４の紙面手前から奥に移動させたときの軌跡によって決まる柱状の物体である。保護カバー４２は、開口Ｋに対するメモリカートリッジ２の挿入方向に対して垂直な方向に、筐体に内蔵されるバネ４２Ａにより付勢されている。
【００３１】
保護カバー４２は、開口Ｋに露出する部分に力が加えられていない状態では、バネ４２Ａの付勢力によってその一部（メモリカートリッジ２の挿入方向に対して垂直な方向における頂部４２Ｂ）が開口Ｋの上面に当接している。これにより、接続端子群４１は保護カバー４２によって略密閉された状態となり、接続端子群４１への異物の付着が防止される。
【００３２】
図５は、図１のカラオケ装置１にメモリカートリッジ２を装着した状態を示す図である。
【００３３】
突起４３，４４に一対の溝２３を嵌め込んだ状態で、メモリカートリッジ２をその先端から開口Ｋに挿入してくと、この先端が保護カバー４２の傾斜面に当接する。この状態からメモリカートリッジ２が更に押し込まれると、保護カバー４２は、メモリカートリッジ２の挿入方向に直交する方向の下方向に移動していき、メモリカートリッジ２が奥まで到達可能となる。
【００３４】
保護カバー４２の頂部４２Ｂは角のない丸みを帯びた形状に加工されている。この頂部４２Ｂの形状は、メモリカートリッジ２の溝２４の形状と対応しており、図５のように、接続端子群４１と電気端子群２１が接続された状態で、溝２４に頂部４２Ｂが嵌るように、溝２４と頂部４２Ｂの形状が設計されている。保護カバー４２は図５中の上方向に付勢されているため、図５の状態では、カラオケ装置１を左右に振り回すなどして動かしても、この付勢力と溝２４と頂部４２Ｂの嵌合状態とによって、メモリカートリッジ２がカラオケ装置１から外れてしまうことはない。このため装置使用時の安全性を確保することができる。頂部４２Ｂは嵌合部を構成し、溝２４は被嵌合部を構成する。
【００３５】
一方、利用者がメモリカートリッジ２を開口Ｋから引き出すときには、保護カバー４２は下に押し込まれる。そして、頂部４２Ｂが丸みを帯びた形状となっているために、この押し込まれる力によって溝２４と頂部４２Ｂの嵌合は容易に解除され、メモリカートリッジ２を取り出すことができ、挿脱のしやすさに影響を与えることはない。
【００３６】
なお、ここでは保護カバーを上下にスライドさせる機構を採用しているが、例えば保護カバーを回転させる機構を採用してもよい。
【００３７】
図６は、図１のカラオケ装置１の内部ブロック構成を示す図である。
【００３８】
カラオケ装置１は、マイクロフォン１１と、全体を統括制御するシステム制御部１２と、画像音声出力処理部１３と、操作部１４と、フラッシュメモリ等の書き換え可能な記憶媒体からなる本体メモリ１５と、本体メモリ１５（記憶部）のデータの読み書きの制御とカラオケ装置１に装着されたメモリカートリッジ２（記憶装置）のデータの読み書きの制御とを行う記憶制御部１６と、を備える。記憶制御部１６は、システム制御部１２の指令にしたがって本体メモリ１５のデータの読み書きの制御とメモリカートリッジ２のデータの読み書きの制御を行う。
【００３９】
メモリカートリッジ２には、曲の楽譜データと、曲のタイトル及び歌手名等の曲の付随情報を画像として示す曲タイトル画像データとを含む曲データが複数記憶されている。
【００４０】
マイクロフォン１１は、利用者の歌声を入力するためのものであり、マイクロフォン１１に入力された歌声は電気信号（歌データ）としてシステム制御部１２に入力される。
【００４１】
システム制御部１２は、利用者によって指定された曲データをメモリカートリッジ２から読み込んで内部メモリに展開し、読み込んだ曲データに含まれる楽譜データに基づく曲の再生をテレビジョン３によって行わせる再生制御を行う。
【００４２】
画像音声出力処理部１３は、システム制御部１２の内部メモリに展開された曲データに含まれる楽譜データを解釈して伴奏データを生成し、伴奏と共に再生する画像データを生成し、生成した伴奏データと画像データを、カラオケ装置１と通信可能に接続されたスピーカと表示部を有する電子機器（図６の例ではテレビジョン３）に出力して、テレビジョン３により、伴奏データに基づく伴奏曲と、画像データに基づく画像を再生させる。利用者は、テレビジョン３により再生された伴奏曲を聴きながらマイクロフォン１１を使って歌声を入力する。
【００４３】
システム制御部１２は、曲データに基づいて再生された曲に対してマイクロフォン１１を介して入力される歌を評価する。歌唱力の評価処理は周知の技術を利用することができる。例えば、入力される歌データと楽譜データとを比較し、双方の音程や音階の一致度を判定することで歌唱力を点数化した採点情報を生成する。システム制御部１２によって採点された採点情報（歌唱力の点数）は、歌唱力の評価結果の情報である評価情報となる。
【００４４】
システム制御部１２は、任意の曲データに対して採点情報を生成すると、この採点情報を本体メモリ１５に記憶する。システム制御部１２は、生成した採点情報と、本体メモリ１５に記憶されている所定の採点情報とを比較し、これらすべての採点情報に順位づけを行い、採点情報とその採点情報が何位かを示す順位情報を生成する。この順位情報は、歌唱力の評価結果の情報である評価情報となる。システム制御部１２は、順位情報についても本体メモリ１５に記憶する。
【００４５】
システム制御部１２は、この他に、操作部１４によって利用者から入力されたプレイヤー名等の情報を本体メモリ１５に記憶する。また、システム制御部１２は、任意の曲データに対して採点情報を生成すると、生成した採点情報と、この曲データに基づく伴奏曲に対して歌声を入力した歌唱者の情報である歌唱者情報を、この曲データを記憶しているメモリカートリッジ２のこの曲データに関連付けられた領域に記憶する。
【００４６】
図７は、図１のカラオケ装置１の本体メモリ１５の内部構造例を示す図である。図７に示すメモリ内の各ブロックは、このブロック内に記されている情報を記憶するために確保されている領域を示す。
【００４７】
本体メモリ１５には、カラオケ装置１を動作させるためのプログラムコード及び各種データが記憶される書き換え不可の領域と、書き換え可の領域とを有する。
【００４８】
本体メモリ１５の書き換え可の領域は、ユーザ情報が記憶されるユーザ情報記憶領域を含む。
【００４９】
ユーザ情報記憶領域は、カラオケ装置１を利用する利用者（プレイヤーともいう）に関する情報であるプレイヤー情報が記憶されるプレイヤー情報記憶領域（通し番号［ｎ］（ｎ＝０〜９）を付した１０個の領域）と、システム制御部１２により生成された採点情報を順位付けした順位情報としての総合ランキング情報が記憶される総合ランキング情報記憶領域（［ｎ］（ｎ＝０〜９）を付した１０個の領域）とを含む。
【００５０】
各プレイヤー情報記憶領域は、プレイヤー名が記憶される領域と、このプレイヤー名に対する採点結果のうちの最高点が個人ベストスコアとして記憶される領域とからなる。操作部１４によって利用者からプレイヤー名が入力されると、システム制御部１２は空きのあるプレイヤー情報記憶領域に、入力されたプレイヤー名を記憶する。これにより、カラオケ装置１に対する利用者登録が行われる。
【００５１】
各総合ランキング情報記憶領域は、通し番号ｎが若いものほど高い順位が割り当てられている。各総合ランキング情報記憶領域は、プレイヤー情報記憶領域［０］〜［９］のうちのどの領域に記憶されたプレイヤー名と紐付いているかを示すプレイヤーインデックスが記憶される領域と、採点情報であるスコアが記憶される領域とからなる。
【００５２】
本体メモリ１５の書き換え可の領域は、更に、曲データに含まれる付随情報（曲タイトル画像データ）を記憶するための画像記憶領域を含む。
【００５３】
画像記憶領域は、プレイヤー情報記憶領域［ｎ］と対応付けられ、プレイヤー情報記憶領域［ｎ］と同じ通し番号［ｎ］が記された領域からなる個人ベストスコア用画像記憶領域と、総合ランキング情報記憶領域［ｎ］と対応付けられ、総合ランキング情報記憶領域［ｎ］と同じ通し番号が記された領域からなる総合ランキング用画像記憶領域とを含む。
【００５４】
図８は、図１のカラオケ装置１に着脱可能なメモリカートリッジ２の内部構造例を示す図である。図８に示すメモリ内の各ブロックは、このブロック内に記されている情報を記憶するために確保されている領域を示す。
【００５５】
メモリカートリッジ２には、各種動作のためのプログラムコード及び上記の曲データが記憶される書き換え不可の領域と、書き換え可の領域とが設けられている。図８では、メモリカートリッジ２に１５個の曲データが記憶されている例を示す。
【００５６】
メモリカートリッジ２の書き換え可の領域は、カートリッジランキング情報が記憶されるカートリッジランキング情報記憶領域を含む。
【００５７】
カートリッジランキング情報記憶領域は、１５個の曲データの各々に対応した曲別ランキング情報記憶領域（通し番号［ｍ］（ｍ＝０〜１４）を付した１５個の領域）からなる。
【００５８】
曲別ランキング情報記憶領域は、書き換え不可の領域にある１５個の曲データのうちのどの曲データと対応するかを示す曲インデックスが記憶される領域と、曲ランキング情報が記憶される曲ランキング情報記憶領域（通し番号［ｋ］（ｋ＝０〜９）を付した１０個の領域）とからなる。
【００５９】
各曲ランキング情報記憶領域は、通し番号ｋが若いものほど高い順位が割り当てられている。各曲ランキング情報記憶領域は、プレイヤー名が記憶される領域と、採点情報であるスコアが記憶される領域とからなる。
【００６０】
以上のように構成されたカラオケ装置１の動作を説明する。図９は、図１のカラオケ装置１の動作を説明するためのフローチャートである。
【００６１】
利用者が自分のプレイヤー名を選択し、所望の曲を選んで実行ボタンを押すと、システム制御部１２は、選択された曲データをメモリカートリッジ２から読み込み内部メモリに一時記憶する（ステップＳ１）。
【００６２】
次に、システム制御部１２は、選択されたプレイヤー名の情報をメモリカートリッジ２から読み込み内部メモリに一時記憶する（ステップＳ２）。
【００６３】
次に、システム制御部１２は、ステップＳ１で読み込んだ曲データに基づいて曲の再生制御を行う（ステップＳ３）。この処理によりテレビジョン３を通じて伴奏曲の再生と所定の画像の再生が行われ、利用者はカラオケ装置１を用いて歌を歌う。利用者の歌声はマイクロフォン１１から歌データとしてシステム制御部１２に入力され、システム制御部１２がこの歌データを取得し、内部メモリに一時記憶する（ステップＳ４）。
【００６４】
システム制御部１２は、曲の再生が終了されたか否かを判定し、再生が終了していなければステップＳ４に処理を戻し、再生が終了していれば、内部メモリに記憶した歌データと、ステップＳ１で読み出した曲データとに基づいて採点を行う（ステップＳ６）。なお、曲の再生中に採点処理を並行して行ってもよい。
【００６５】
採点が終わると、システム制御部１２は、ステップＳ２で読み込んだプレイヤー名が記憶された本体メモリ１５のプレイヤー情報記憶領域を参照し、該プレイヤー情報記憶領域に個人ベストスコアが記憶されているか否かを判定する。
【００６６】
ステップＳ７の判定がＹＥＳのとき、システム制御部１２は、ステップＳ６で採点した点数（最新スコア）が、該プレイヤー情報記憶領域に記憶された個人ベストスコアよりも大きいか否かを判定する（ステップＳ８）。ステップＳ８の判定がＮＯのときはステップＳ１１の処理が行われる。
【００６７】
ステップＳ８の判定がＹＥＳのときと、ステップＳ７の判定がＮＯのとき、システム制御部１２は、ステップＳ２で読み込んだプレイヤー名が記憶されている本体メモリ１５のプレイヤー情報記憶領域に最新スコアを記憶し、ステップＳ１で読み込んだ曲データに含まれる曲タイトル画像データを、このプレイヤー情報記憶領域と対応する個人ベストスコア用画像記憶領域に記憶する（ステップＳ９）。つまり、システム制御部１２は、ステップＳ２で読み込んだプレイヤー名に対し、最新スコアと曲タイトル画像データを対応付けた形で本体メモリ１５に記憶する。ステップＳ９の後はステップＳ１１が行われる。
【００６８】
ステップＳ１１において、システム制御部１２は、総合ランキング情報記憶領域［０］〜［９］に記憶されている全てのスコアのうちの最低スコアと最新スコアを比較し、最新スコアが最低スコアよりも大きい場合（ステップＳ１１：ＹＥＳ）は、ステップＳ１２に処理を移行し、最新スコアが最低スコア以下の場合（ステップＳ１１：ＮＯ）は、ステップＳ１３に処理を移行する。
【００６９】
ステップＳ１２において、システム制御部１２は、本体メモリ１５の最新スコアの順位に対応する総合ランキング情報記憶領域に記憶されているプレイヤーインデックスとスコアを読み出して一時記憶し、この総合ランキング情報記憶領域に、ステップＳ２で読み込んだプレイヤー名を指定するプレイヤーインデックスと最新スコアを記憶する。また、システム制御部１２は、この総合ランキング情報記憶領域に対応する総合ランキング用画像記憶領域に、ステップＳ１で読み込んだ曲データに含まれる曲タイトル画像データを記憶する。また、システム制御部１２は、最新スコアの順位より下位の順位に対応する総合ランキング情報記憶領域とこの総合ランキング情報記憶領域に対応する総合ランキング用画像記憶領域に記憶しているデータを、それぞれ順位を１つ下げた領域に書き換える処理を行って、総合ランキング情報と総合ランキング用の曲タイトル画像データを更新する。
【００７０】
ステップＳ１２の次のステップＳ１３において、システム制御部１２は、ステップＳ１で読み込んだ曲データを指定する曲インデックスが記憶されたメモリカートリッジ２内の曲別ランキング情報記憶領域を参照し、この曲別ランキング情報記憶領域に空き領域があるか否かを判定する。
【００７１】
ステップＳ１３の判定がＮＯのとき、システム制御部１２は、ステップＳ１で読み込んだ曲データを指定する曲インデックスが記憶されたメモリカートリッジ２内の曲別ランキング情報記憶領域に記憶されている全てのスコアのうちの最低スコアと最新スコアを比較し、最新スコアが最低スコアよりも大きい場合（ステップＳ１４：ＹＥＳ）は、ステップＳ１５の処理を行う。ステップＳ１３の判定がＹＥＳのときもシステム制御部１２はステップＳ１５の処理を行う。最新スコアが最低スコア以下の場合（ステップＳ１４：ＮＯ）は、システム制御部１２は、最新スコアを内部メモリから消去して（ステップＳ１６）、処理を終了する。
【００７２】
ステップＳ１５において、システム制御部１２は、最新スコアと、メモリカートリッジ２のステップＳ１で読み込んだ曲データに対応する曲ランキング情報記憶領域に記憶されているスコアとを比較して、これらすべてのスコアの順位づけを行い、この順位にしたがって、曲ランキング情報を更新する。ステップＳ１５の処理により、最新スコアとプレイヤー名は対応付けられてメモリカートリッジ２に記憶される。ステップＳ１５の後はステップＳ１６の処理が行われる。
【００７３】
以上のように、カラオケ装置１では、メモリカートリッジ２の曲データに基づく曲に対する歌声の評価結果（採点情報と順位情報）がメモリカートリッジ２ではなく本体メモリ１５に記憶される。このため、メモリカートリッジ２を友人同士で貸し借りして楽しむといった遊び方をする場合でも、本体メモリ１５に記憶されている評価結果に基づいて利用者に過去の採点結果や総合順位等を知らせることができ、利用者のモチベーションを高めることができる。
【００７４】
また、カラオケ装置１とメモリカートリッジ２を含むシステムでは、曲の付随情報が画像データとしてメモリカートリッジ２に記憶されている。例えばカラオケ装置１において付随情報を読み出してテレビジョン３に表示させることを考える。曲のタイトルや歌手名は、文字数が長いものがあり、テキストとしてタイトルや歌手名を表示させようとした場合、全ての情報が表示するためにスクロール表示等を採用すると、全ての情報を確認するまでに時間がかかる。これに対し、曲のタイトルや歌手名を画像データとして記憶しておくことで、付随情報に含まれる全ての内容を瞬時に見せることができる。この結果、装置の使い勝手を向上させることができる。なお、付随情報はテキストデータとして記憶しておいても、本発明の課題は解決することが可能である。
【００７５】
また、カラオケ装置１では、利用者の歌唱力の採点結果の最高点を本体メモリ１５に記憶している。このため、個人のベストスコアをいつでも利用者に提示することができ、利用者のモチベーション向上を図ることができる。
【００７６】
また、カラオケ装置１では、曲データ毎の評価結果の情報をメモリカートリッジ２に記憶している。このように、メモリカートリッジ２に曲データ毎の評価結果を記憶することで、この評価結果を例えば本体メモリ１５のデータ復元のために利用したり、この評価結果を活用した他のサービスを提供したりといったことが可能となる。
【符号の説明】
【００７７】
１  カラオケ装置
１１  マイクロフォン
１２  システム制御部
１５  本体メモリ
１６  記憶制御部
２  メモリカートリッジ
２１  電気端子群
２３  位置決め用溝
２４  溝（被嵌合部）
Ｋ  開口
４１  接続端子群
４２  保護カバー
４２Ａ  バネ
４２Ｂ  頂部（嵌合部）
４３，４４  位置決め用突起
【図１】
2017122931.tif 000003
【図２】
2017122931.tif 000004
【図３】
2017122931.tif 000005
【図４】
2017122931.tif 000006
【図５】
2017122931.tif 000007
【図６】
2017122931.tif 000008
【図７】
2017122931.tif 000009
【図８】
2017122931.tif 000010
【図９】
2017122931.tif 000011